(57)【要約】【課題】精度よく障害を検出することができる通信装置の障害検出方法及び検出装置を提供する。【解決手段】親局１１と子局６１〜６４が接続される信号伝送装置の任意の箇所に測定装置７０を接続する。親局１１は、子局６１〜６４のアドレスを付加した監視信号を信号伝送装置に送信する。子局６１〜６４は、自局のアドレスが付加された監視信号を受信すると、応答信号を信号伝送装置に送信する。測定装置７０は、監視信号または応答信号に付加されているデータエラー検出信号によってデータエラーの発生を検出した場合には、監視信号または応答信号の波形及び周波数成分を測定する。そして、測定した監視信号または応答信号の波形及び周波数成分と各基準信号の波形及び周波数成分との比較結果に基づいて、障害の原因（種類）を検出する。なお、比較結果に基づいて、障害の発生を検出することもできる。【選択図】　　　　図１
2004112325.tif 000002
【特許請求の範囲】
【請求項１】
複数の通信局が信号伝送手段を介して接続されている通信装置の障害検出方法であって、信号伝送手段に障害監視信号を送信し、信号伝送手段から取り出した障害監視信号の波形または周波数成分の少なくとも一方を測定し、測定した障害監視信号の波形または周波数成分の少なくとも一方に基づいて障害の発生を検出することを特徴とする通信装置の障害検出方法。
【請求項２】
複数の通信局が信号伝送手段を介して接続されている通信装置の障害検出方法であって、信号伝送手段に障害監視信号を送信し、信号伝送手段から取り出した障害監視信号の波形または周波数成分の少なくとも一方を測定し、測定した障害監視信号の波形または周波数成分の少なくとも一方に基づいて障害の原因を検出することを特徴とする通信装置の障害検出方法。
【請求項３】
請求項１または２に記載の通信装置の障害検出方法であって、測定した障害監視信号と基準信号の波形または周波数成分の少なくとも一方の比較結果に基づいて障害の発生または障害の原因を検出することを特徴とする通信装置の障害検出方法。
【請求項４】
請求項２または３に記載の通信装置の障害検出方法であって、障害の発生の検出に応答して障害監視信号の波形または周波数成分の少なくとも一方の測定を開始することを特徴とする通信装置の障害検出方法。
【請求項５】
請求項４に記載の通信装置の障害検出方法であって、信号伝送手段から取り出した障害監視信号に基づいて障害の発生を検出することを特徴とする通信装置の障害検出方法。
【請求項６】
請求項１〜５のいずれかに記載の通信装置の障害検出方法であって、信号伝送手段に送信された、いずれかの通信局から他の通信局への信号を障害監視信号として用いることを特徴とする通信装置の障害検出方法。
【請求項７】
請求項６に記載の通信装置の障害検出方法であって、通信局には、子局への監視信号を信号伝送手段に送信する親局と、親局への応答信号を信号伝送手段に送信する子局が含まれており、信号伝送手段に送信された子局への監視信号または親局への応答信号の少なくとも一方を障害監視信号として用いることを特徴とする通信装置の障害検出方法。
【請求項８】
信号を伝送する信号伝送手段と、他の通信局への信号を信号伝送手段に送信する複数の通信局とを備える通信装置の障害検出装置であって、
障害監視信号を信号伝送手段に送信する障害監視信号送信手段と、
信号伝送手段から取り出した障害監視信号の波形または周波数成分の少なくとも一方を測定する測定手段と、
処理手段とを備え、
処理手段は、測定手段で測定した障害監視信号と基準信号の波形または周波数成分の少なくとも一方の比較結果に基づいて障害の原因を検出する、
ことを特徴とする通信装置の障害検出装置。
【請求項９】
信号を伝送する信号伝送手段と、子局への監視信号を信号伝送手段に送信する親局と、親局への応答信号を信号伝送手段に送信する子局とを備える通信装置の障害検出装置であって、
信号伝送手段から取り出した監視信号または応答信号の波形または周波数成分の少なくとも一方を測定する測定手段と、
処理手段とを備え、
処理手段は、測定手段で測定した監視信号または応答信号と基準信号の波形または周波数成分の少なくとも一方の比較結果に基づいて障害の原因を検出する、ことを特徴とする通信装置の障害検出装置。
【請求項１０】
請求項８または９に記載の通信装置の障害検出装置であって、測定手段は、障害の発生の検出に応答して、信号伝送手段から取り出した信号の波形または周波数成分の少なくとも一方の測定を開始することを特徴とする通信装置の障害検出装置。
【請求項１１】
請求項１０に記載の通信装置の障害検出装置であって、信号伝送手段から取り出した信号に基づいて障害の発生を検出することを特徴とする通信装置の障害検出装置。
【発明の詳細な説明】
【０００１】
【発明の属する技術分野】
本発明は、配電線自動化装置等で用いられる通信装置の障害を検出する障害検出方法及び検出装置に関する。
【０００２】
【従来の技術】
例えば、電力需要家に電力を供給する配電線には、配電線事故時に送電を停止する開閉器等が設けられている。従来、配電線事故で動作した開閉器の復旧操作は、係員が行っていた。このため、復旧に時間がかかり、また、係員が開閉器の設置場所まで出向く必要があった。
そこで、開閉器の事故情報や運用情報等の収集と開閉器の遠隔制御を管理センター等で行うことができる配電線自動化装置が提案されている。
配電線自動化装置は、例えば、管理センターに設けられた親局と、電力需要家側（例えば、電柱等）に設けられた複数の子局と、親局と複数の子局間の信号（例えば、親局から子局への監視信号、子局から親局への応答信号等）を伝送する信号伝送装置により構成されている。信号伝送装置としては、一般的にはメタルケーブルが用いられているが、信号伝送量の増大や信号伝送速度の高速化等の要望に伴って光ケーブルが用いられるようになっている。
ところで、配電線自動化装置の設備が増加するに伴い、障害が発生した時の障害解析が困難となり、障害解析に多大の時間と労力を費やさなければならなくなっている。
そこで、配電線自動化装置の障害を検出することができる障害検出装置が提案されている。
例えば、ケーブルの一端から光パルスを送信し、障害地点からの反射波形を測定することによって障害地点を検出する方法（ＯＴＤＲ法）、ケーブルの一端側から信号を送信し、他端側でその信号の受信レベルを測定することによって障害区間を検出する方法、区間毎にノイズレベルを測定することによってノイズ混入箇所を検出する方法等が提案されている。
また、ケーブルの任意の箇所に既知特性の障害監視信号を送信するとともに、ケーブルの他の箇所で障害監視信号の電圧または電流を検出し、電圧または電流の検出値に基づいて任意の箇所と他の箇所の間のケーブルに障害が存在するか否かを検出する方法も知られている（特許文献１参照）。
【０００３】
【特許文献１】
特開２００１−１９６９８０号公報
【０００４】
【発明が解決しようとする課題】
従来の障害検出方法は、信号伝送装置を伝送する障害監視信号の電流や電圧等のレベルを検出するものであるため、障害の発生を精度よく検出することができない。また、障害監視信号の電圧や電流等のレベルを検出する方法では障害の原因（種類）を検出するのが困難である。このため、障害の原因を検出するためには、更に他の検査を行う必要がある。
そこで、本発明は、障害の発生あるいは原因を精度よく検出することができる通信装置の障害検出方法及び検出装置を提供することを目的とする。
【０００５】
【課題を解決するための手段】
前記課題を解決するための本発明の第１発明は、請求項１に記載されたとおりの通信装置の障害検出方法である。
請求項１に記載の通信装置の障害検出方法では、信号伝送手段に障害監視信号を送信するとともに、信号伝送手段から取り出した障害監視信号の波形または周波数成分の少なくとも一方を測定し、測定した障害監視信号の波形または周波数成分の少なくとも一方に基づいて障害の発生を検出する。本発明では、信号伝送手段から取り出した障害監視信号の波形または周波数成分の少なくとも一方に基づいて障害が発生していることを検出するため、障害が発生したことを精度よく検出することができる。なお、波形または周波数成分の一方のみでも障害が発生していることを検出することができるが、両者を用いることによって、より精度よく障害の発生を検出することができる。
また、本発明の第２発明は、請求項２に記載されたとおりの通信装置の障害検出方法である。
請求項２に記載の通信装置の障害検出方法では、信号伝送手段に障害監視信号を送信するとともに、信号伝送手段から取り出した障害監視信号の波形または周波数成分の少なくとも一方を測定し、測定した障害監視信号の波形または周波数成分の少なくとも一方に基づいて障害の原因（種類）を検出する。本発明では、信号伝送手段から取り出した障害監視信号の波形または周波数成分の少なくとも一方に基づいて障害の原因（種類）を検出するため、障害の原因（種類）を精度よく検出することができる。なお、波形または周波数成分の一方のみでも障害の原因を検出することができるが、両者を用いることによって、より精度よく障害の原因を検出することができる。
本明細書では、「信号伝送手段（信号伝送装置）」には、メタルケーブルや光ケーブル等のケーブル（通信線）だけでなく、ケーブル同士あるいはケーブルと機器を接続する接続器、信号を分岐あるいは結合する分岐・結合器等の通信局間の信号を伝送する部分が含まれる。
第１発明や第２発明において、障害監視信号を信号伝送手段に送信する手段や、信号伝送手段から障害監視信号を取り出す手段としては種々の手段が用いられる。
また、本発明の第３発明は、請求項３に記載されたとおりの通信装置の障害検出方法である。
請求項３に記載の通信装置の障害検出方法では、測定した障害監視信号と基準信号の波形または周波数成分の少なくとも一方の比較結果に基づいて障害の発生または障害の原因を検出する。本発明では、基準信号の波形または周波数（例えば、障害の原因（種類）別の基準信号の波形または周波数）の少なくとも一方を予め用意しておき、測定した障害監視信号と各基準信号の波形または周波数成分の少なくとも一方を比較すればよいため、処理が簡単である。さらに、基準信号の波形または周波数成分を追加するだけで、検出可能な障害の原因（種類）の数を増加させることができる。
なお、障害の発生を検出する場合には、基準信号として、正常基準信号（例えば、障害が発生していない時の障害監視信号）あるいは障害基準信号（例えば、障害が発生している時の障害監視信号）を用いることができる。また、障害の原因（種類）を検出する場合には、基準信号として障害基準信号を用いることができる。
波形を比較する方法としては、例えば、測定した障害監視信号と基準信号の波形の形状の一致度が設定値以上であるか否かを判断する方法を用いることができる。また、周波数成分を比較する方法としては、例えば、測定した障害監視信号と基準信号の周波数成分の一致度または周波数成分及びそのレベルの一致度が設定値以上であるか否かを判断する方法を用いることができる。
また、本発明の第４発明は、請求項４に記載されたとおりの通信装置の障害検出方法である。
請求項４に記載の通信装置の障害検出方法では、障害の発生に応答して障害監視信号の波形または周波数成分の少なくとも一方の測定を開始する。これにより、障害監視信号の波形または周波数成分の測定処理、したがって、測定した波形または周波数成分に基づく障害の発生の検出あるいは障害の原因の検出のための解析処理の回数を軽減することができ、処理負担を軽減することができる。さらに、障害の発生に応答して自動的に波形または周波数成分の測定を開始するため、障害が発生した時点の障害監視信号の波形または周波数成分を確実に測定することができ、継続障害（連続して発生する障害）だけでなく間欠障害（発生と復旧を繰り返す障害）も検出することができる。
また、本発明の第５発明は、請求項５に記載されたとおりの通信装置の障害検出方法である。
請求項５に記載の通信装置の障害検出方法では、信号伝送手段から取り出した障害監視信号に基づいて障害の発生を検出する。障害監視信号に基づいて障害の発生を検出する方法としては、例えば、エラー検出信号を付加した障害監視信号を信号伝送手段に送信し、信号伝送手段から取り出した障害監視信号に付加されているエラー検出信号に基づいてエラーの発生を検出する方法を用いることができる。
また、本発明の第６発明は、請求項６に記載されたとおりの通信装置の障害検出方法である。
請求項６に記載の通信装置の障害検出方法では、信号伝送手段に送信された通信局間の信号を障害監視信号として用いる。これにより、障害の発生や障害の原因を検出するための障害監視信号として特別の信号を用いる必要がない。
また、本発明の第７発明は、請求項７に記載されたとおりの通信装置の障害検出方法である。
請求項７に記載の通信装置の障害検出方法では、信号伝送手段に送信された親局から子局への監視信号または子局から親局への応答信号を障害監視信号として用いる。これにより、本発明を配電線自動化装置等の遠方監視制御装置に用いることができる。また、遠方監視制御装置において定期的に信号伝送手段に送信される親局から子局への監視信号や子局から親局への応答信号を用いるため、特別の信号や特別の信号送信手段等を用いることなく、継続障害及び間欠障害を検出することができる。
なお、遠方監視制御装置では、親局は、例えば、被監視信号（例えば、測定装置の測定信号や被監視機器の状態信号等）の送信を指示する監視信号を子局に送信する。一方、子局は、例えば、監視信号を受信した場合には被監視信号を応答信号として親局に送信する。そこで、遠方監視制御装置において、監視信号と同じ構成の擬似監視信号を信号伝送手段の任意の個所に送信して子局から信号伝送手段に応答信号を送信させ、この応答信号を障害監視信号として用いることができる（応答信号を信号伝送手段から取り出して測定する）。この方法を用いることにより、遠方監視制御装置における障害検出処理を任意の時期に、任意の子局に対して行うことができる。
また、本発明の第８発明は、請求項８に記載されたとおりの通信装置の障害検出装置である。
請求項８に記載の通信装置の障害検出装置では、障害監視信号送信手段を用いて、信号伝送手段の任意の箇所に障害監視信号を送信し、測定手段を用いて、信号伝送手段から取り出した障害監視信号の波形または周波数成分の少なくとも一方を測定し、処理手段を用いて、測定した障害監視信号と基準信号の波形または周波数成分の少なくとも一方を比較して障害の原因を検出する。これにより、障害の原因（種類）を精度よく検出することができる。また、継続障害だけでなく、間欠障害も検出することができる。
また、本発明の第９発明は、請求項９に記載されたとおりの通信装置の障害検出装置である。
請求項９に記載の通信装置の障害検出装置では、測定手段を用いて、信号伝送手段に送信された親局から子局への監視信号または子局から親局への応答信号を測定し、処理手段を用いて、親局から子局への監視信号または子局から親局への応答信号と基準信号の波形または周波数成分の少なくとも一方を比較して障害の原因（種類）を検出する。これにより、配電線自動化装置等の遠方監視制御装置の障害の原因（種類）を、特別の信号や特別の信号送信手段等を用いることなく、また、継続障害だけでなく間欠障害も検出することができる。
なお、例えば、第８発明や第９発明の測定手段の機能と処理手段の機能を備えた測定手段または処理手段を用いることもできる。このような構成を有する通信装置の障害検出装置も、測定手段と処理手段を備えた通信装置の障害検出装置の概念に属する。
また、本発明の第１０発明は、請求項１０に記載されたとおりの通信装置の障害検出装置である。
請求項１０に記載の通信装置の障害検出装置では、障害の発生の検出に応答して波形または周波数成分の少なくとも一方の測定を開始する。これにより、波形または周波数成分の測定処理や波形または周波数成分の解析処理等の負担を軽減することができる。さらに、間欠障害をより確実に検出することができる。
また、本発明の第１１発明は、請求項１１に記載されたとおりの通信装置の障害検出装置である。
請求項１１に記載の通信装置の障害検出装置では、障害監視信号に基づいて障害の発生を検出する。これにより、特別の信号を用いることなく障害の発生を検出することができる。
【０００６】
【発明の実施の形態】
以下に、本発明の実施の形態を図面を参照して説明する。
図１は、本発明を用いて配電線自動化装置の障害を検出する方法を説明する図である。
配電線自動化装置は、親局（親装置）１１と、親局１１により監視制御される複数の子局（子装置）６１〜６４と、親局１１と子局６１〜６４間の信号を伝送する信号伝送装置（信号伝送手段）により構成されている。
親局１１は、例えば、営業所１０等の管理センターに設けられる。子局６１〜６４は、被監視制御機器の近傍（例えば、開閉器や測定装置等の被監視制御機器が設置されている電柱等）に設けられる。
図１に示す配電自動化装置は、親局１１と子局６１〜６４によって遠方監視制御装置として構成されている。
遠方監視制御装置として構成された配電自動化装置は、監視動作と制御動作を行う。
監視動作時には、親局１１から子局６１〜６４に監視信号を送信する。子局６１〜６４は、監視信号を受信すると、測定装置の測定信号や被監視機器の状態信号等の被監視信号を含む応答信号を親局１１に送信（返送）する。
一方、制御動作時には、親局１１から子局６１〜６４に制御信号を送信する。子局６１〜６４は、制御信号を受信すると、制御信号で指示された被制御機器（例えば、開閉器等）を、制御信号で指示された状態に制御する。この時、非制御機器を制御した後、被制御機器の状態信号を応答信号として子局６１〜６４から親局１１に返送するように構成するのが好ましい。
【０００７】
監視動作時の監視信号及び応答信号の送信方法の１例を図２に示す。
親局は、時点Ｔ１で、子局１（６１）のアドレスを挿入した監視信号（子局１の呼出信号）を信号伝送装置に送信する。
子局１（６１）〜子局４（６４）は、信号伝送装置から監視信号を受信し、受信した監視信号に挿入されているアドレスと自己に設定されているアドレスとを比較する。アドレスが一致しない場合には、受信した監視信号を破棄する。一方、アドレスが一致すると、被監視信号を含む応答信号を送信する。
この場合、子局１は、子局１のアドレスが挿入された監視信号を受信した後、時点Ｔ２で、子局１のアドレスと被監視信号を挿入した応答信号を信号伝送装置に送信する。
親局は、信号伝送装置を介して子局１（６１）からの応答信号を受信すると、時点Ｔ３で、次の子局（図２では子局２）のアドレスを挿入した監視信号を信号伝送装置に送信する。以下、同様の方法で、親局１１から各子局６１〜６４に順に監視信号（呼出信号）が送信されるとともに、子局６１〜６４から親局に被監視信号を含む応答信号が順に送信（返信）される。子局ｎからの応答信号を受信すると、再び、子局１（６１）に監視信号を送信する。
【０００８】
なお、親局１１は、任意の子局への監視信号を送信した後、所定時間内のその子局からの応答信号を受信できない場合（正しい被監視信号を得ることができない場合）には、その子局への監視信号を再度送信する（再送する）ように構成されている。親局１１から任意の子局への監視信号の再送回数は予め定められている（例えば、２回）。
このため、親局１１は、例えば、任意の子局への監視信号を３回送信してもその子局からの応答信号を受信できなかった場合には、次の子局への監視信号を送信する。
【０００９】
監視信号や応答信号の送信方法としては、種々の方法を用いることができる。例えば、子局からの応答信号を待つことなく、子局での監視信号の受信及び応答信号の送信のための時間を考慮した適宜の時間間隔で親局から各子局に監視信号を順次送信する方法を用いることができる。あるいは、親局１１からは最初の監視信号のみを送信し、子局１（６１）〜子局４（６４）は監視信号を受信してから自己に設定されている時間が経過した時点で応答信号を送信する方法を用いることができる。
また、監視信号や応答信号に親局１１や子局１（６１）〜子局４（６４）のアドレスを挿入するか否かは、遠方監視制御装置の構成や監視信号及び応答信号の送信方法等に応じて適宜選択される。
【００１０】
親局１１は、ＣＰＵ等の処理装置、記憶装置、キーボード等の入力装置、表示装置、プリンタ等の出力装置を有している。親局１１の処理装置は、入力装置から入力される入力信号、記憶装置に記憶されているプログラム等に基づいて、子局への監視信号や制御信号（総称して「監視制御信号」という）の送信処理、子局から送信された応答信号の受信処理、表示装置への表示信号の出力処理、出力装置への出力信号の出力処理等を実行する。
子局６１〜６４は、被監視制御機器の近傍（例えば、開閉器や測定装置等の被監視制御機器が設置されている電柱上等）に設けられている。子局６１〜６４は、ＣＰＵ等の処理装置、記憶装置等を有している。子局の処理装置は、親局から送信される監視制御信号の受信処理、監視制御信号に基づく応答信号の親局への送信処理、被制御機器の制御処理等を実行する。
【００１１】
親局１１と子局６１〜６４間には、信号伝送用の光ケーブル２０が設けられている。
また、信号伝送量の増大や信号伝送速度の高速化等の要望に答えるために、光ケーブル２０と子局６１〜６４との間に光伝送装置（ＦＮＵ：Ｆｉｂｅｒ　Ｎｅｔｗｏｒｋ　Ｕｎｉｔ）が設けられている。光伝送装置は、ＦＮＵ−ＩＤ（ＦＮＵ　Ｉｎ−Ｄｏｏｒ）、ＦＮＵ−ＯＤ（ＦＮＵ　Ｏｕｔ−Ｄｏｏｒ）、ＦＮＵ−ＩＤとＦＮＵ−ＯＤの間に設けられた光ケーブル２１〜２３等によって構成される。ＦＮＵ−ＩＤ４１、４２は、例えば、配電所や変電所等の屋内に設置され、光ケーブル２１〜２３を介して複数（例えば、最大５０台）のＦＮＵ−ＯＤ５１、５２が接続される。ＦＮＵ−ＯＤ５１、５２は、例えば、電柱等の屋外に設置され、複数（例えば、最大８台）の子局６１〜６４が接続される。図１では、ＦＮＵ−ＩＤ４１に光ケーブル２１及び２２を介してＦＮＵ−ＯＤ５１及び５２が接続され、ＦＮＵ−ＯＤ５１及び５２にはそれぞれ子局６１、６２及び６３、６４が接続されている。
さらに、変電所３０には、光ケーブル２０とＦＮＵ−ＩＤ４１、４２の間に分岐・結合装置３１が設けられている。分岐・結合装置３１は、光ケーブル２０からの信号を分岐させてＦＮＵ−ＩＤ４１、４２に送信し、あるいは、ＦＮＵ−ＩＤ４１、４２からの信号を結合して光ケーブル２０に送信する。
本実施の形態では、光ケーブル２０、２１、２２、分岐・結合装置３１、ＦＮＵ−ＩＤ４１、４２、ＦＮＵ−ＯＤ５１、５２等によって信号伝送装置（信号伝送手段）が構成されている。
【００１２】
また、障害の発生や原因を検出するための障害監視信号を信号伝送装置から取り出し、取り出した障害監視信号の波形または周波数成分の少なくとも一方を測定することができる測定装置７０が設けられている。
測定装置７０は、例えば、図３に示す構成を有している。図３に示す測定装置７０は、信号伝送装置の任意の箇所に接続可能な接続部７１と、接続部７１を介して信号伝送装置から取り出した障害監視信号の形式を変換するモデム７２と、モデム７２で変換された障害監視信号の波形及び周波数成分を測定可能な測定部７３と、ＣＰＵ等の処理装置７６により構成されている。測定部７３には、表示部７４、記憶部７５が設けられている。
なお、処理装置７６としてパソコンを用い、測定部７３として周波数成分分析機能付きオシロスコープ等の測定器を用いることもできる。
【００１３】
次に、測定装置７０の動作を、図４に示すフローチャート図により説明する。
まず、処理装置７６は、ステップＳ１で、モデム７３を介して信号伝送装置から取り出した障害検出信号の１フレームのデータを受信する。
次に、ステップＳ２で、受信した１フレームのデータに付加されているデータエラー検出信号に基づいてデータエラーが発生しているか否かを判断する。データエラーが発生していない場合にはステップＳ３に進み、データエラーが発生している場合にはステップＳ４に進む。
ステップＳ３では、受信した１フレームのデータと、データエラーの判定結果（ステップＳ２の判断が「ＮＯ」の場合には「データエラー無」の判定結果）を出力する。例えば、表示部７４やプリンタ等に判定結果を出力する。
一方、ステップＳ４では、障害が発生していると判断し、処理装置７６から測定部７３に測定開始信号を出力する。これにより、測定部７３は、接続部７１を介して信号伝送装置から取り出した障害監視信号の波形及び周波数成分の測定を開始する。測定部７３で測定した障害監視信号の波形及び周波数成分は記憶部７５に記憶される。この時、測定した波形及び周波数成分を表示部７４に表示してもよい。
データエラーが発生している場合には、親局から子局に対して監視信号が再送信される。したがって、データエラー発生の検出に応答して測定部７３での測定を開始した場合、例えば、監視信号の再送信に応答して子局から再送信される応答信号の波形または周波数成分を検出することができる。
ステップＳ４での障害監視信号の波形及び周波数成分の測定は、例えば、ステップＳ２でのデータエラーの判定結果が「ＮＯ」になるまで（データエラーが検出されなくなるまで）継続される。
ここで、子局に異常が発生した場合や信号伝送回路に断線故障が発生した場合には、子局からの応答信号を受信することができないため、ステップＳ２の処理（データエラー、すなわち障害が発生しているか否かの判断処理）、したがって、ステップＳ４での処理（測定開始信号の出力処理）を実行することができない。そこで、このような障害が発生していることを検出するには、他の方法を用いる必要がある。例えば、親局から任意の子局への監視信号が送信されてから所定時間内にその子局からの応答信号を受信できない場合に、障害が発生していると判断する方法を用いる。なお、親局から任意の子局への監視信号が再送された場合に障害が発生していると判断する方法も、子局からの応答信号を受信できない場合に障害が発生していると判断する方法の概念に含まれる。
【００１４】
ステップＳ４での障害監視信号の周波数成分の測定は、障害監視信号の周波数成分のみを測定してもよいし、周波数成分及びそのレベルを測定してもよい。いずれを測定するかは、障害の原因（種類）等に応じて選択される。例えば、波形と周波数成分のみを比較することによって障害の原因（種類）を検出することができる場合には周波数成分のみを測定し、波形と周波数成分及びそのレベルを比較しなければ障害の原因（種類）を検出することができない場合には周波数成分及びそのレベルを測定する。周波数成分及びそのレベルを測定する測定部７３を用いる場合には、いずれの比較方法にも対応することができる。
本明細書では、特に断りがない限り、「周波数成分」という記載は、周波数成分だけでなく、周波数成分及びそのレベルを意味するものとしても用いている。また、「周波数成分を比較する」という記載は、周波数成分だけでなく、周波数成分及びそのレベルを比較することを意味するものとしても用いている。
【００１５】
ステップＳ４での処理を実行した後、ステップＳ３では、受信データと、データエラーの判定結果（ステップＳ２の判断が「ＹＥＳ」の場合には「データエラー有」の判定結果）を表示部７４やプリンタ等に出力する。
次に、ステップＳ５では、受信データ、データエラー判定結果を処理装置７６の記憶部に記憶した後、ステップＳ１に戻って次のフレームデータの受信を繰り返す。
記憶部７５に記憶された障害監視信号の波形や周波数成分の測定結果は、例えば、測定後の所定時間に、あるいは、送信要求信号の受信に応答して、処理装置７６から営業所１０等の管理センターに設けられている管理装置（親局１１が兼用してもよい）に送信される。処理装置７６の記憶部に記憶されている情報も管理装置に送信可能に構成してもよい。
管理装置は、処理装置７６から送信された障害信号の波形及び周波数成分と基準信号の波形及び周波数成分とを比較し、比較結果に基づいて障害の原因（種類）を検出する。この時、例えば、波形と周波数成分のみを比較することによって障害の原因を検出することができる場合には波形と周波数成分を比較し、波形と周波数成分及びそのレベルを比較しなければ障害の原因を検出することができない場合には波形と周波数成分及びそのレベルを比較する。
本実施の形態では、管理装置が本発明の処理手段に対応する。
【００１６】
なお、例えば、子局６１〜６４への監視信号を親局１１から送信しても、その子局６１〜６４からの応答信号を親局１１で受信できない（正しい被監視信号を得ることができない）場合には、子局６１〜１１、親局１１と子局６１〜６４間の信号伝送回路で障害が発生している（例えば、接触不良、外部からのノイズの混入等）可能性がある。
一方、前記したように、親局１１は、子局への監視信号を送信した後、所定時間経過してもその子局からの応答信号を受信できない場合には、その子局への監視信号を再送する。
そこで、例えば、同じ子局に２回目の監視信号を送信する場合（１回目の監視信号を送信した後所定時間経過しても子局からの応答信号を受信できない場合）には、障害が発生していると判断し、図４に示すステップＳ４と同様に、測定部７３に測定開始信号を出力する。
【００１７】
本実施の形態では、測定装置７０を信号伝送装置の任意の箇所に接続して信号伝送装置から障害監視信号を取り出し、取り出した障害監視信号と基準信号の波形および周波数成分を比較することによって障害の原因（種類）を検出している。このため、例えば、障害の原因（種類）別に、障害監視信号の波形及び周波数成分を予め測定し基準信号（障害基準信号）として管理装置の記憶装置に記憶する。
測定した障害監視信号と基準信号の波形及び周波数成分の比較結果に基づいて障害の原因（種類）を検出する方法としては、例えば、波形及び周波数成分が測定した障害監視信号の波形及び周波数成分と一致する基準信号（障害基準信号）を検索し、検索した基準信号（障害基準信号）に対応する障害の原因（種類）が発生していると判断する方法を用いる。
【００１８】
親局１１から信号伝送回路に送信される監視信号または子局６１〜６４から信号伝送回路に送信される応答信号を障害監視信号として用いる場合に、信号伝送回路から取り出した障害監視信号と比較する基準信号の例を図５〜図１０に示す。図５〜図１０に示す基準信号は、子局から信号伝送回路に送信された応答信号を信号伝送回路から取り出し、オシロスコープで測定したものである。応答信号としては、「１」「０」の信号を周波数変調（ＦＳＫ変調）した信号を用いている。図１０に示す波形及び周波数成分は、図９に示す基準信号の部分（ａ１とｋの部分）を拡大して示したものである。
図５〜図９及び図１０（Ａ）は、基準信号の波形を示している。図の横軸は時間を示し、縦軸は各時点の基準信号の振幅（レベル）を示している。図１０（Ｂ）は、基準信号の周波数成分を示している。図の横軸は周波数成分を示し、縦軸は各周波数成分の振幅（レベル）を示している。図１０（Ｂ）において、Ｆ１〔１〕及びＰ１〔２〕の値はＸ１点の周波数及びそのレベルを示し、Ｆ２〔２〕及びＰ２〔２〕の値はＸ２点の周波数及びそのレベルを示し、ＤＦ〔１〕及びＤＰ〔１〕の値はＸ１点とＸ２点の周波数の差及びレベルの差を示している。
図５〜図９には基準信号の周波数成分及びそのレベルを示していないが、図５〜図９に示す基準信号の周波数成分及びそのレベルも予め用意されている。
【００１９】
図５は、障害が発生していない状態で信号伝送回路の任意の箇所から取り出した応答信号を基準信号（正常基準信号）としたものである。図５に示す基準信号の波形には、各子局からの応答信号ａ〜ｅが正常な波形（正しい被監視信号を得ることができる波形）で含まれており、ノイズも含まれていない。測定した障害監視信号の波形が図５に示す基準信号の波形と一致する場合には、障害が発生していないことを検出することができる。
【００２０】
図６〜図８は、信号伝送回路に外部からのノイズが混入している状態で信号伝送回路の任意の箇所から取り出した応答信号を基準信号（障害基準信号）としたものである。
図６に示す基準信号の波形は、例えば、子局１への監視信号の送信に対する１回目の応答信号の波形ａ１が異常な波形（正しい被監視信号を得ることができない波形）であり、１回目の監視信号の再送信に対する応答信号の波形ａ２が異常な波形であり、２回目の監視信号の再送信に対する応答信号の波形ａ３が正常な波形（正しい被監視信号を得ることができる波形）であり、続けて送信した子局２及び子局３への監視信号の送信に対する応答信号の波形ｂ及び波形ｃが正常な波形であることを示している。図６に示す基準信号の波形には、応答信号ａ１、応答信号ａ２、応答信号ａ１とａ２の間にノイズｋ等が含まれている。
測定した障害監視信号の波形が図６に示す基準信号の波形（および周波数成分）と一致する場合には、応答信号ａ１及びａ２を送信する子局と測定装置７０との間の信号伝送回路に、間欠的にノイズが混入する障害（間欠障害）が発生している可能性があることを検出する。
【００２１】
図７に示す基準信号の波形は、例えば、子局１への監視信号の送信に対する１回目の応答信号の波形ａ１が異常な波形であり、１回目及び２回目の監視信号の再送信に対する応答信号の波形ａ２及びａ３も異常な波形であり、続けて送信した子局２への監視信号の送信に対する応答信号の波形ｂ１が異常な波形であり、１回目の監視信号の再送信に対する応答信号の波形（図示省略）が正常な波形であることを示している。図７に示す基準信号の波形には、応答信号ａ１、ａ２、ａ３、ｂ１、ａ１とａ２間、ａ２とａ３間、ａ３とｂ１間にノイズｋ〜ｍ等が含まれている。
測定した障害監視信号の波形が図７に示す基準信号の波形（および周波数成分）と一致する場合には、子局１と測定装置７０との間の信号伝送回路に継続的にノイズが混入する障害（継続障害）が発生し、子局２と測定装置７０との間に間欠的にノイズが混入する障害（間欠障害）が発生している可能性があることを検出する。
【００２２】
図８に示す基準信号の波形は、各子局への監視信号の送信及び再送信に対する応答信号の波形（例えば、子局１への監視信号の送信、１回目及び２回目の再送信に対する応答信号の波形ａ１、ａ２、ａ３、子局２への監視信号の送信、１回目の再送信に対する応答信号の波形ｂ１、ｂ２の波形）が異常な波形であることを示している。図８に示す基準信号の波形には、応答信号ａ１、ａ２、ａ３、ｂ１、ｂ２、各応答信号の間にノイズｋ〜ｏ等が含まれている。
測定した障害監視信号の波形が図８に示す基準信号の波形（および周波数成分）と一致する場合には、各子局と測定装置７０との間の信号伝送回路に継続的にノイズが混入する障害（継続障害）が発生している可能性があることを検出する。
【００２３】
図９に示す基準信号の波形は、例えば、子局１への監視信号の送信に対する１回目の応答信号の波形ａ１が異常な波形であり、１回目及び２回目の監視信号の再送信に対する応答信号の波形が欠落しており、続けて送信した子局２、子局３への監視信号の送信及び再送信に対する応答信号の波形ｂ１、ｂ２、ｂ３、ｃ１、ｃ２が異常な波形であることを示している。図９に示す基準信号の波形には、応答信号ａ１、ｂ１、ｂ２、ｂ３、ｃ１、ｃ２、ａ１とｂ１、ｂ１とｂ２、ｂ２とｂ３、ｂ３とｃ１、ｃ１とｃ２間等にノイズｋ等が含まれている。基準信号ａ１とｂ１間の部分の波形には、図１０（Ａ）に示されているように、ノイズｋ１〜ｋ６等が含まれている。また、周波数成分及びそのレベルは、図１０（Ｂ）に示されている周波数成分及びレベルを有している。
測定した障害監視信号の波形及び周波数成分が図９（図１０）に示す基準信号の波形および周波数成分と一致する場合には、子局１に障害が発生している可能性が高いことを検出する。
【００２４】
基準信号としては、図５〜図１０に示したものに限定されず、種々の障害発生時に信号伝送回路から取り出した障害監視信号を基準信号として用いることができる。
例えば、ケーブルや子局に絶縁不良や接触不良等の障害が発生している時の障害監視信号の波形及び周波数成分を測定して基準信号（障害基準信号）の波形及び周波数成分とすることができる。
なお、任意の箇所で任意の障害が発生している時、測定装置７０を接続する箇所によって障害監視信号の波形や周波数成分が異なる場合には、波形や周波数成分が異なる箇所毎に障害監視信号を測定して基準信号（障害基準信号）として用いるのが好ましい。この場合には、測定装置７０で測定した障害監視信号の波形及び周波数成分を、測定装置７０を接続した箇所に対応する基準信号（障害基準信号）の波形及び周波数成分と比較する。
【００２５】
次に、測定装置７０を用いて配電線自動化装置の障害を検出する方法を図１、図３を参照して説明する。以下では、親局１１から信号伝送装置に送信される子局６１〜６４への監視信号または子局６１〜６４から信号伝送装置に送信される親局１１への応答信号を障害監視信号として用いた場合について説明する。また、監視信号及び応答信号にはデータエラー検出信号が付加されているものとする。
まず、測定装置７０を信号伝送装置の任意の箇所に接続する。測定装置７０を接続する箇所としては、例えば、親局１１と光ケーブル２０との接続箇所、分岐・結合装置３１、ＦＮＵ−ＩＤ４１や４２、ＦＮＵ−ＯＤ５１や５２、ＦＮＵ−ＯＤ５１や５２と子局６１〜６４との接続箇所等が考えられる。
また、親局１１と光ケーブル２０との間や光ケーブル２０と分岐・結合装置３１との間にモデムが接続される場合には、測定装置７０をこれらのモデムに接続することもできる。
【００２６】
親局１１は、例えば、所定の時刻に達すると、子局１（６１）のアドレスとデータエラー信号を付加した監視信号を信号伝送装置に送信する。この時、処理装置７６は、障害が発生しているか否かを判断する。例えば、親局１１から子局１（６１）への監視信号を信号伝送装置から接続部７１、モデム７２を介して取り出し、監視信号に付加されているデータエラー信号に基づいてデータエラーが発生しているか否かを判断する。データエラーが発生している（障害が発生している）場合には、処理装置７６から測定部７３に測定開始信号を出力する。これにより、測定部７３は、接続部７１を介して信号伝送装置から取り出した子局１（６１）への監視信号の波形及び周波数成分の測定を開始する。測定結果は、記憶部７５に記憶される。
記憶部７５に記憶された子局１（６１）への監視信号の波形及び周波数成分は、例えば、営業所１０等に設けられている管理装置に送られ、基準信号の波形及び周波数成分と比較される。子局１（６１）への監視信号の波形及び周波数成分が、例えば、予め記憶されている基準信号（障害基準信号）のいずれかの波形及び周波数成分と一致した場合には、測定装置７０が接続されている箇所と親局１１との間に、波形及び周波数成分が一致した基準信号（障害基準信号）に対応する障害が発生していること、すなわち障害の原因（種類）を検出することができる。障害の原因（種類）は、例えば、営業所１０等に設けられている表示装置やプリンタ等に出力される。
【００２７】
子局１（６１）は、子局１（６１）のアドレスが付加された監視信号を受信すると、測定装置の測定信号や被監視機器の状態信号等の応答信号を、子局１（６１）のアドレス及びデータエラー信号を付加して信号伝送回路に送信する。
測定装置７０の処理装置７６は、子局１（６１）から親局への応答信号を信号伝送装置から取り出す。そして、付加されているエラー検出信号に基づいてデータエラーが発生しているか否かを判断する。エラー検出信号に基づいてデータエラーが発生していることを検出した場合には、測定部７３に測定開始信号を出力する。あるいは、処理装置７６は、親局１１から子局１（６１）に監視信号が送信された後所定時間経過しても子局１（６１）からの応答信号を受信しない場合、または親局１１から子局１（６１）に２回目の監視信号が送信された場合に、処理装置７６から測定部７３に測定開始信号を出力する。
これにより、測定部７３は、接続部７１を介して信号伝送装置から取り出した、子局１（６１）から親局１１への応答信号の波形及び周波数成分の測定を開始する。測定結果は、記憶部７５に記憶される。なお、記憶部７５には、例えば、図５〜図９に示す障害監視信号の、障害発生検出時点ｔ１〜障害消滅検出時点ｔ２間の波形または周波数成分が記憶される。
記憶部７５に記憶された子局１（６１）から親局１１への応答信号の波形及び周波数成分は、例えば、営業所１０に設けられている管理装置に送られ、基準信号の波形及び周波数成分と比較される。子局１（６１）から親局への応答信号の波形及び周波数成分が、例えば、図６〜図１０に示す基準信号（障害基準信号）のいずれかの波形及び周波数成分と一致した場合には、測定装置７０が接続されている箇所と子局１（６１）との間に、一致した基準信号（障害基準信号）に対応する障害が発生していることを検出する。検出結果は、例えば、営業所等に設けられている表示装置やプリンタ等に出力される。
子局６１〜６４から信号伝送装置に送信された親局１１への応答信号についても、同様の方法を用いて、測定装置７０が接続されている箇所と子局６１〜６４との間に、波形及び周波数成分が一致した基準信号に対応する障害が発生していることを検出することができる。
【００２８】
本実施の形態では、遠方監視制御装置で通常送信されている、親局から子局への監視信号や子局から親局への応答信号を障害監視信号として用いているため、特別の信号発生装置が不要である。また、監視信号や応答信号は頻繁に送信されるため、間欠障害が発生している場合でも確実に検出することができる。さらに、障害が発生していることを検出した場合にのみ障害監視信号（この場合、監視信号や応答信号）の波形及び周波数成分を測定するため、不要な処理を省略することができ、処理負担を軽減することができる。
【００２９】
なお、測定装置７０の信号伝送装置への接続箇所を変えて、前記した障害の原因を検出する方法を実行することにより、障害が発生している区間や障害の原因（種類）をより正確に特定することができる。あるいは、信号伝送装置の複数の箇所にそれぞれ測定装置７０を接続し、障害監視信号の波形及び周波数成分を各測定装置７０で測定して基準信号の波形及び周波数成分を測定することにより、障害が発生している区間や障害の原因（種類）をより正確に特定することができる。
また、上記説明では、測定した障害監視信号と正常基準信号の波形及び周波数成分の比較処理を行わなかったが、測定した障害監視信号と正常基準信号の波形及び周波数成分の比較処理も行うように構成してもよい。例えば、測定した障害監視信号の波形及び周波数成分が、障害基準信号のいずれかの波形及び周波数成分と一致し、且つ正常基準信号の波形及び周波数成分と一致しない場合に、波形及び周波数成分が一致した基準信号に対応する障害が発生していることを検出する。この方法を用いることにより、処理の信頼性を高めることができる。
【００３０】
本発明は、実施の形態で説明した構成に限定されず、種々の変更、追加、削除が可能である。
例えば、障害監視信号と基準信号の波形及び周波数成分を比較することによって障害の原因（種類）を検出したが、波形または周波数成分の少なくとも一方を比較することによっても障害の原因（種類）を検出することができる。波形または周波数成分のみを比較する場合には、波形及び周波数成分を比較する場合よりは検出精度が低下する。
【００３１】
また、障害監視信号に基づいて障害の原因（種類）を検出したが、障害監視信号に基づいて障害が発生していること（障害の発生）を検出することもできる。障害が発生していることは、例えば、測定した障害監視信号と予め用意している基準信号の波形または周波数成分の少なくとも一方を比較することによって検出することができる。
この場合には、例えば、障害が発生していない時の障害監視信号の波形または周波数成分の少なくとも一方を基準信号（正常基準信号）（例えば、図５に示す基準信号）の波形または周波数成分の少なくとも一方として用意する方法と、各種の障害が発生している時の障害監視信号の波形または周波数成分の少なくとも一方を基準信号（障害基準信号）（例えば、図６〜図１０に示す基準信号）の波形または周波数成分の少なくとも一方として用意する方法がある。
前者の方法を用いる場合には、例えば、測定した障害監視信号と正常基準信号の波形または周波数成分の少なくとも一方が一致する時に障害が発生していないことを検出し、そうでない時に障害が発生していることを検出する。
後者の方法を用いる場合には、例えば、測定した障害監視信号といずれかの障害基準信号の波形または周波数成分の少なくとも一方が一致する時に障害が発生していることを検出し、そうでない時に障害が発生していないことを検出する。
【００３２】
また、親局から子局への監視信号及び子局から親局への応答信号を障害監視信号として用いたが、親局から子局への監視信号または子局から親局への応答信号のいずれか一方のみを障害監視信号として用いてもよい。あるいは、親局から信号伝送回路に送信される、子局側に設けられている被制御機器の制御信号を障害監視信号として用いることもできる。さらに、親局から子局への監視信号及び制御信号を障害監視信号として用いることもできる。この場合には、親局から子局への監視制御信号を障害監視信号として用いる。
また、測定装置７０を信号伝送回路の任意の箇所に接続して親局１１から信号伝送回路に送信された監視信号や子局６１〜６４から信号伝送回路に送信された応答信号等の波形や周波数成分を測定したが、測定装置７０を親局１１や子局６１〜６４に接続してもよい。あるいは、親局１１や子局６１〜６４に測定装置７０の機能を持たせてもよい。
【００３３】
また、親局から送信される子局への監視信号を障害監視信号として用いたが、子局への監視信号と同じ構成の擬似監視信号を送信可能な擬似監視信号送信装置（擬似監視信号送信手段）を用いることもできる。
例えば、障害が発生している可能性が高い子局のアドレスを付加した擬似監視信号を擬似監視信号送信装置から信号伝送回路に送信する。そして、擬似監視信号に付加されているアドレスに対応する子局からの応答信号を擬似監視信号送信装置で受信し、受信した応答信号の波形及び周波数成分を基準信号の波形及び周波数成分と比較することによって障害の原因（種類）を検出する。
この方法を用いると、親局から子局への監視信号や子局から親局への応答信号を障害監視信号として用いる場合に比べ、障害が発生している可能性が高い子局に限定した擬似障害監視信号を送信できるため、間欠障害を早期に検出することができる。さらに、１台の擬似監視信号送信装置によって障害を検出することができる。
【００３４】
また、親局から子局への監視信号や子局から親局への応答信号を障害監視信号として用いたが、監視信号や応答信号以外の種々の信号を障害監視信号として用いることができる。例えば、通信局間で伝送される信号を用いることができる。この場合には、信号伝送回路の任意の箇所に測定装置７０を接続し、任意の通信局から信号伝送回路に送信された他の通信局への信号の波形や周波数成分を測定する。または、任意の通信局に測定装置７０を接続し、任意の子局で受信した他の子局からの信号の波形や周波数成分を測定する。あるいは、障害監視信号送信装置（障害監視信号送信手段）を信号伝送装置の任意の箇所に接続するとともに、測定装置を信号伝送装置の他の箇所に接続することによって障害の原因（種類）を検出することができる。
また、障害監視信号に付加されているデータエラー検出信号を用いて障害が発生していることを検出したが、障害が発生していることを検出する方法としては、データエラー検出信号を用いる方法に限定されない。
また、障害の発生を検出したことに応答して障害監視信号の波形や周波数成分の測定を開始させたが、障害監視信号の波形や周波数成分の測定を常時行ってもよい。この場合には、測定した障害監視信号と基準信号の波形や周波数成分との比較を常時あるいは適宜の時期に行う。
また、遠方監視制御装置に本発明を適用した場合について説明したが、本発明は、通信局間で信号を伝送する通信装置にも適用することができる。
【００３５】
また、測定装置７０（測定部７３）で測定した障害監視信号と予め用意している基準信号の波形や周波数成分の比較処理を管理装置（処理手段）で行ったが、係員が行ってもよい。例えば、測定部７３の記憶部７５に記憶されている障害監視信号の波形や周波数成分を表示部（例えば、測定部７３の表示部７４や営業所等に設けられている表示部）やプリンタ等の出力手段に出力する。係員は、出力手段から出力される、測定した障害監視信号の波形または周波数成分の少なくとも一方と、予め用意されている基準信号の波形または周波数成分の少なくとも一方を比較する。そして、比較結果に基づいて、障害の発生や、障害の原因（種類）を判別する。
この場合には、本発明は、前記した通信装置の障害検出方法を実施するための測定装置として構成することができる。例えば、「信号を伝送する信号伝送手段と、子局への監視信号を信号伝送手段に送信する親局と、親局への応答信号を信号伝送手段に送信する子局とを備える通信装置の障害を検出するための測定装置であって、信号伝送手段から取り出した監視信号または応答信号の波形または周波数成分の少なくとも一方を測定する測定手段とを備えることを特徴とする測定装置。」、「前記の測定装置であって、測定手段で測定した監視信号または応答信号の波形または周波数成分の少なくとも一方を出力する出力手段を備えることを特徴とする測定装置。」、「前記の測定装置であって、監視信号または応答信号に基づいて障害の発生を検出する検出手段（図３に示す処理装置７６が対応）を備え、測定手段は、検出手段で障害の発生が検出された時に監視信号または応答信号の波形または周波数成分の少なくとも一方の測定を開始することを特徴とする測定装置。」、「前記の測定装置であって、測定手段は、障害の発生が検出された時に監視信号または応答信号の波形または周波数成分の少なくとも一方の測定を開始することを特徴とする測定装置。」として構成することができる。
【００３６】
【発明の効果】
以上説明したように、請求項１〜請求項７に記載の通信装置の障害検出方法及び請求項８〜請求項１１に記載の通信装置の障害検出装置を用いれば、精度よく障害を検出することができる。
【図面の簡単な説明】
【図１】配電線自動化装置の概略構成図である。
【図２】配電線自動化装置の監視動作時における監視信号及び応答信号の送信タイミングを示す図である。
【図３】測定装置の一実施の形態の概略構成図である。
【図４】障害検出方法の一実施の形態を説明するフローチャート図である。
【図５】基準信号（正常基準信号）の波形の１例を示す図である。
【図６】基準信号（障害基準信号）の波形の１例を示す図である。
【図７】基準信号（障害基準信号）の波形の他の例を示す図である。
【図８】基準信号（障害基準信号）の波形の他の例を示す図である。
【図９】基準信号（障害基準信号）の波形の他の例を示す図である。
【図１０】基準信号（障害基準信号）の波形及び周波数成分の他の例を示す図である。
【符号の説明】
１１　親局
２０、２１、２２、２３　光ケーブル（通信線）
６１〜６４　子局
７０　測定装置
７１　接続部
７２　モデム
７３　測定部
７４　表示部
７５　記憶部
７６　処理装置
【図１】
2004112325.tif 000003
【図２】
2004112325.tif 000004
【図３】
2004112325.tif 000005
【図４】
2004112325.tif 000006
【図５】
2004112325.tif 000007
【図６】
2004112325.tif 000008
【図７】
2004112325.tif 000009
【図８】
2004112325.tif 000010
【図９】
2004112325.tif 000011
【図１０】
2004112325.tif 000012